(57)【要約】【課題】  ユーザーが打数を容易に記録しておき、正確な打数を忘れないようにするゴルフ打数カウンターが手袋本体に着脱可能なゴルフ手袋を開示する。【解決手段】  前記手袋本体には第１結合手段が具備されており、その底面に前記第１結合手段に選択的に結合可能な第２結合手段を具備するゴルフ打数カウンターは前記手袋に着脱できる。前記第１結合手段としてはマジックテープの雌面或いはスナップの雌ボタンが用いられ、前記第２結合手段としては前記第１結合手段に相応してマジックテープの雄面或いはスナップの雄ボタンが用いられ、前記第１結合手段と前記第２結合手段との結合によって前記ゴルフ打数カウンターが前記手袋本体に着脱可能になる。本考案によれば、各ホールにおける現在の打数を容易に記憶し得るようになるので、ユーザーが競技に更に集中することができるため、競技力を向上させることができ、ゴルジ打数カウンターがゴルフ手袋に着脱できるため、雨天時や手袋の洗濯時ゴルフ打数カウンターの破損危険を減らすことができるという効果がある。【選択図】      図１ 
0003105103.tif 000002
【実用新案登録請求の範囲】
【請求項１】
第１結合手段が具備されている手袋本体と、
前記第１結合手段に選択的に結合可能な第２結合手段をその底面に具備し、これにより前記手袋本体に着脱できるゴルフ打数カウンターとを含み、
前記第１結合手段はマジックテープの雌面及びスナップの雌ボタンのうちいずれか１つが選択され、前記第２結合手段は前記第１結合手段に相応してマジックテープの雄面及びスナップの雄ボタンのうちいずれか１つが選択されて、前記第１結合手段と前記第２結合手段との結合によって前記ゴルフ打数カウンターが前記手袋本体に着脱できることを特徴とするゴルフ手袋。
【請求項２】
前記ゴルフ打数カウンターは、回転軸と、
前記回転軸を下方から支持し、前記第２結合手段が具備されている下部部材と、
前記回転軸を上方から支持し、表示窓が形成されており、その枠の少なくとも一部が前記下部部材と結合される上部部材と、
その中心部に前記回転軸を嵌めるためのホールが形成されており、前記回転軸を中心として回動自在に設置され、上面の円周に沿って複数の数字が印刷されているノブとを含み、
前記上部部材の一側に前記ノブの一部が露出されるように凹部が形成されていることを特徴とする請求項１記載のゴルフ手袋。
【請求項３】
前記ノブのホールの内周面に多数の突起が連続的に形成されており、前記回転軸に前記ノブが任意に回転することを抑止するためのストッパーが形成されていることを特徴とする請求項２記載のゴルフ手袋。
【請求項４】
前記ゴルフ打数カウンターは、電気的な論理回路で具現され、増加信号によってカウント値を１だけ増加させ、リセット信号によって前記カウント値をリセットするカウンターと、
外力によって押圧されたとき前記増加信号を発生する打数増加ボタンと、
外力によって押圧されたとき前記リセット信号を発生するリセットボタンと、
前記カウント値を表示する表示部と、
太陽電池を含めて前記カウンターに電力を供給する電源部とを備えてなることを特徴とする請求項１記載のゴルフ手袋。
【請求項５】
前記ゴルフ打数カウンターは、上面の円周に沿って複数の数字が印刷されている番号板と、
前記番号板に軸結合されている歯車と、
第１レバーの回動点を中心として回動可能に設置される第１レバーと、
第２レバーの回動点を中心として回動可能に設置され、前記第１レバーと連動して回動することにより前記歯車を回転させる第２レバーと、
上面に表示窓が設けられ、その側面に第１レバーの一端部が外部へ露出されるようにする挿入孔が設けられているハウジングとを備えてなることを特徴とする請求項１記載のゴルフ手袋。
【考案の詳細な説明】
【技術分野】
【０００１】
本考案は、スポーツ用手袋に関し、より詳しくは、ゴルフ手袋に関する。
【背景技術】
【０００２】
ゴルファーがゴルフ場でゴルフをする時、自分の打数を忘れてしまう場合が往々あるが、忘れないように打数計算に集中する場合は、競技に対する集中力が低下することもある。かかる問題点を解決することができるゴルフ打数カウンターが開発されており、その一例として米国特許第４９２２８５０号に開示されているものが挙げられる。ところが、このようなゴルフ打数カウンターはゴルファーの手袋やベルトなどに取り付けられた一体型になっているため、雨天時に損傷される可能性があり、また手袋を洗濯する場合にゴルフ打数カウンターが破損される危険が高い。
【考案の開示】
【考案が解決しようとする課題】
【０００３】
本考案は、かかる従来の問題点を解決するためのもので、その目的は、ゴルファーが打数を容易に記録しておき、正確な打数を忘れないようにすると共に、雨天時或いは手袋の洗濯時打数カウンターの破損の危険を減らすことができるように、必要に応じてゴルフ打数カウンターが手袋本体に着脱可能なゴルフ手袋を提供することにある。
【課題を解決するための手段】
【０００４】
前記目的を達成するための本考案によるゴルフ手袋は、手袋本体には第１結合手段が備えられており、その底面には前記第１結合手段に選択的に結合可能な第２結合手段を備えるゴルフ打数カウンターが前記手袋に着脱できる。前記第１結合手段としては、マジックテープの雌面又はスナップの雌ボタンが用いられ、前記第２結合手段としては、前記第１結合手段に相応してマジックテープの雄面又はスナップの雄ボタンが用いられ、前記第１結合手段と前記第２結合手段との結合によって前記ゴルフ打数カウンターが前記手袋本体に着脱可能になる。
【０００５】
本考案の一側面において、ゴルフ打数カウンターは回転軸と、下部部材と、上部部材と、ノブとを備えてなる。下部部材は、前記回転軸を下方から支持し、前記第２結合手段を備えており、上部部材は前記回転軸を上方から支持し、その枠の少なくとも一部が前記下部部材と結合され、その上面には表示窓が形成されている。ノブは前記回転軸を中心として回動自在に設置され、その中心部には前記回転軸を嵌めるためのホールが形成されており、前記ノブの上面にはその円周に沿って複数の数字が印刷されている。また、上部部材の一側には前記ノブの一部が露出されるように凹部が設けられている。好適な実施例において、前記ノブのホールの内周面には多数の突起が連続的に形成され、前記ノブが任意に回転することを抑止するために前記回転軸にストッパーが形成される。
【０００６】
本考案の他の側面において、ゴルフ打数カウンターは電気的な論理回路で具現され、カウンターと、打数増加ボタンと、リセットボタンと、表示部と、電源部とを備えてなる。カウンターは増加信号によってカウント値を１だけ増加させ、リセット信号によって前記カウント値をリセットさせる。打数増加ボタンは外力により押圧されたとき、前記増加信号を発生させ、リセットボタンは外力により押圧されたとき前記リセット信号を発生させる。表示部は前記カウント値を表示し、電源部は前記カウンターに電力を供給するが、これは太陽電池を含む。
【０００７】
本考案の別の側面において、ゴルフ打数カウンターは番号板と、歯車と、第１レバーと、第２レバーと、ハウジングとを備えてなる。番号板の上面には円周に沿って複数の数字が印刷されており、歯車は前記番号板に軸結合されている。第１レバーは第１レバーの回動点を中心として回動可能に設置され、第２レバーは第２レバーの回動点を中心として回動可能に設置されて、前記第１レバーと連動して回動することにより前記歯車を回転させる。ハウジングの上面には表示窓が設けられ、その側面には第１レバーの一端部が外部へ露出されるようにする挿入孔が設けられている。
【考案の効果】
【０００８】
本考案によれば、打数が増加するたびにノブを回転させたり押しボタンを押すことにより各ホールにおける現在の打数を容易に記憶できるようになるので、ユーザーが競技に更に集中することができ、競技力を向上させるようになる。また、ゴルフ打数カウンターがゴルフ手袋に着脱可能なので、雨天時や手袋の洗濯時ゴルフ打数カウンターの破損危険を減らすことができるという効果がある。
【考案を実施するための最良の形態】
【０００９】
以下、添付図を参照して本考案の好適な実施例をより詳しく説明する。
【００１０】
図１は本考案の一実施例によるゴルフ手袋の平面図である。図示のように、本考案によれば、ゴルフ手袋１０の手首乃至は手の甲の部位に設けられている手首締め１２に打数カウンター２０が着脱できる。本実施例において、ゴルフ手袋１０の手首締め１２の上面にはマジックテープの雌面が設けられ、打数カウンター２０の底面にはマジックテープの雄面が設けられており、これらのマジックテープ同士の結合によって打数カウンター２０がゴルフ手袋１０の手首締め１２に取り付けられる。しかしながら、変形実施例においては、ゴルフ手袋１０の手首締め１２の上面にスナップの雌ボタンが複数個、例えば４つが取り付けられ、これに相応して打数カウンター２０の底面にはスナップの雄ボタンが取り付けられて、これらのスナップ同士の結合によって打数カウンター２０がゴルフ手袋１０の手首締め１２に取り付けられる。
【００１１】
図２は図１に示された打数カウンター２０の一実施例を具体的に示す分解斜視図である。打数カウンター２０は打数を表す数字が印刷されているノブアセンブリ４０と、ノブアセンブリ４０を上方から支持し、ノブアセンブリ４０に印刷された数字のうちいずれかの一つが外部へ露出されるように表示窓３２が形成されている上部部材３０と、ノブアセンブリ４０を下方から支持する下部部材８０とを備えてなる。上部部材３０はノブ４２の一部が露出されるように凹状にへこんでいる凹部３４、３６を左右両側に備える。上部部材３０及び下部部材８０には布や皮革又は人造皮革などが用いられる。上部部材３０及び下部部材８０は、該上部部材３０及び下部部材８０の枠を布などの生地を所定の形状に折り曲げ加工するためのラッパーを通過させた後裁縫することで結合される。なお、本考案の他の実施例においては、下部部材８０が別途に用いられず、マジックテープの雄面の上面にノブアセンブリ４０が直接接着されても良い。
【００１２】
図３は図２に示されたノブアセンブリ４０を具体的に示す分解斜視図である。同図において、ノブアセンブリ４０はノブ４２と、下部支持板５０と、上部支持板６０と、リベット７０とを含む。
【００１３】
ノブ４２は円板状になっており、その中心部にはホール４４が形成されている。ホール４４の内周面には複数の突起が連続的に形成されている。ノブ４２の上面において円周内側には円周に沿って複数の数字が印刷されているが、印刷される数字は０から９までになっていることが望ましい。また、ユーザーの手とノブ４２との摩擦力を増大させることにより、ユーザーが容易にノブ４２を回転させることができるように、ノブ４２の円周面には突起が連設されている。
【００１４】
下部支持板５０は板状になっており、その上面の中心部にはスリーブ５２が上方へ突設されているが、スリーブ５２がノブ４２の回転軸の役割を果たすことになる。スリーブ５２はノブ４２のホール４４の内側に挿入された状態でノブ４２が回転運動だけをして、水平方向への直線運動はできないようにノブ４２を下方から支持する。スリーブ５２にはノブ４２が任意に回転することを抑止するためのストッパー５３が側方に突出形成されている。スリーブ５２の垂直軸の中心にはリベットが挿入されるリベット貫通口５６が上下方向に貫設されている。リベット貫通口５６の内側には段差が形成されているため、貫通口５６の内径は下側ではリベット７０の直径とほぼ同じであり、上側ではそれより大きくなっている。
【００１５】
上部支持板６０は板状になっており、その底面の中心部にはリベット貫通口５６の上側に嵌められるスリーブ５２が下方に突設されている。上部支持板６０の中心部にはリベット貫通用のホール６４が垂直方向に貫設されている。
【００１６】
図１乃至図３に示された打数カウンター２０は次のように組み立てられる。まず、下部支持板５０のスリーブ５２の外側にノブ４２のホール４４を上方から嵌めこむ。そして、上部支持板６０のスリーブ５２の内側のリベット貫通口５６に上部支持板６０のスリーブ６２を上方から嵌めこむ。その次、リベット７０を上部支持板６０の上側から上部支持板６０のホール６４および下部支持板５０のスリーブ５２を貫通させて挿入した後、その下端部に外力を印加して変形させることにより、上部支持板６０とノブ４２と下部支持板５０とを結合させるようになる。底面にマジックテープが取り付けられている下部部材８０上に接着剤を用いてノブアセンブリ４０の下部支持板５０の底面を取り付けた後、上部支持板６０の上面に接着剤を用いて上部部材３０を取り付ける。最後に、上部部材３０及び下部部材８０の枠を布などの生地を所定の形状に折り曲げ加工するためのラッパーを通過させた後、裁縫することにより結合させる。
【００１７】
図２に示された打数カウンター２０は次のように動作する。ユーザーが打数が増加するたびに或いは打数カウンターをリセットするためにノブ４２を図において時計回り方向に回転させると、ノブ４２は下部支持板５０と上部支持板６０との間で下部支持板５０のスリーブ５２を中心として回転する。ユーザーの意図に応じて、ノブ４２を適当量だけ回転させると、ノブ４２の上面に印刷された数字のうちいずれか一つが上部部材３０に設けられた表示窓３２を通して外部へ露出される。一方、一定した大きさ以上の外力が作用しない場合は、スリーブ５２のストッパー５３により、ホール４４の突起が嵌合されている状態で、ノブ４２の回転が抑止されるため、ノブ４２は任意に回転せず固定状態を維持することになる。
【００１８】
図４は本考案によるゴルフ手袋の他の実施例を示す。図４に示されたゴルフ手袋において、上部部材３０ａの一側のみに凹部３４ａが形成されており、これによってノブ４２の一部が上部部材３０ａの一側のみに露出され、ユーザーが１つの指でノブ４２を操作できるようになっている。図４のゴルフ手袋の他の特徴は図１乃至図３に示されたものと類似しているため、これに関する具体的な説明を省く。
【００１９】
図５は本考案によるゴルフ手袋の別の実施例を示す。図５に示された実施例においても、打数カウンター１２０はゴルフ手袋１１０の手首乃至手の甲の部位に設けられている手首締め１１２に着脱できる。本実施例において、打数カウンター１２０は電気的な方式で動作する。図６は図５に示された打数カウンター１２０を具体的に示す。打数カウンター１２０は大略長方形となっており、上面には多数の入力キー、例えば、オンオフキー１３０、打数増加キー１３２、リセットキー１３４、及びメモリ貯蔵キー１３６が設けられており、現在までの打数を表示するＬＣＤディスプレー１４４が設けられている。なお、図示の実施例において、打数カウンター１２０の一側には太陽電池１２４が設けられているため、打数カウンター１２０が別途の電池を必要とせず太陽光からエネルギーを獲得するようになっている。
【００２０】
図７は図６の打数カウンター１２０の電気的な構成を示す。打数カウンター１２０は論理カウンター１４０に基づいた論理回路によって具現される。カウンター１４０はデータ入力端子Ｑとリセット端子Ｒとを備え、増加キー１３２からデータ入力端子Ｑへ信号が印加される都度アップカウントし、リセットキー１３４からリセット端子Ｒへ信号が印加されるときは現在のカウント値を“０”とリセットする。カウンター１４０のカウント値はＬＣＤディスプレー１４４に表示され、データ貯蔵キー１３６から信号が印加されるときカウント値はレジスタ１４２に臨時貯蔵される。
【００２１】
図８は本考案によるゴルフ手袋において、手袋の外周面に着脱可能な打数カウンターのまた別の実施例を示す。図８を参照すると、ゴルフ打数カウンターは表示窓１６２及び一側面に第１レバー挿入孔（図示せず）が設けられているハウジング１６０と、ハウジング１６０内に設置される番号板１７０と、歯車１８０と、第１及び第２レバー１９０、２００とを備える。
【００２２】
ハウジング１６０の上面には番号板１７０の一部が視覚的に外部へ露出されるようにする表示窓１６２が設けられているが、望ましい実施例においては、表示窓１６２は透明なプラスチック素材で製作できる。ハウジング１６０の内側底面の大略中心部には歯車１８０が回動自在に設置され、第１レバー１９０が回動点１９２を中心として回動可能に設置され、第２レバー２００が回動点２０２を中心として回動可能に設置される。
【００２３】
番号板１７０は円板状になっており、その上面には円周に沿って複数の数字が印刷されているが、印刷される数字は０から９までになっていることが好ましい。番号板１７０の底面中心部には歯車１８０が軸結合されている。従って、番号板１７０は歯車１８０が回転されるときに一緒に回転することになる。歯車１８０は番号板１７０に印刷された数字の個数と同数だけの歯車を備える。尚、このような実施例の変形実施例においては、番号板１７０と歯車１８０とが一体型に形成されることもできる。
【００２４】
第１レバー１９０は回動点１９２を中心として回動可能になっており、その一端部には押しボタンの役割をする突出部１９４が形成されている。第２レバー２００は回動点２０２を中心として回動可能になっているが、その一端部２０４は第１レバーの端部１９６と当接し、他端部２０６は歯車１８０の歯と当接するように設置される。
【００２５】
図８に示された打数カウンターは次のように動作する。
【００２６】
ユーザーが押しボタン１９４を押すと、第１レバー１９０は回動点１９２を中心として図において反時計回り方向に回動し、第１レバー１９０の端部１９６は第２レバー２００の一端部２０４を下方へ押圧することになる。これによって、第２レバー２００は図面上において時計回り方向に回動し、第２レバーの他端部２０６が歯車を時計回り方向に押し上げることにより、歯車１８０は時計回り方向に回転することになる。これによって、表示窓に表示される数字は１だけ増加する。ユーザーが押しボタン１９４に印加した力を取り除くと、第２レバーの回転点２０２及び／または第１レバーの回動点１９２に設置されたリターンバネ（図示せず）によって第１及び第２レバーは元の状態に戻る。
【００２７】
尚、本考案の属する技術分野における当業者ならば本考案がその技術的思想や必須的特徴を変更せず、他の具体的な形態で実施できることを理解しなければならない。従って、前記各実施の形態は全ての面で例示的なものに過ぎず、これらの実施の形態に限定されるものでなないことを理解しなければならない。そして、本考案は前記詳細な説明よりも特許請求の範囲に記載した技術的事項の範囲よって規定され、特許請求範囲の意味及び範囲、並びにその等価概念から導出される全ての変更又は変形された形態も本考案の範囲に含まれるものと解釈すべきである。
【図面の簡単な説明】
【００２８】
【図１】本考案に係る手袋の一実施例の平面図である。
【図２】図１に示された打数カウンターの分解斜視図である。
【図３】図２に示されたノブアセンブリの分解斜視図である。
【図４】本考案に係る手袋の他の実施例の平面図である。
【図５】本考案に係る手袋の別の実施例の平面図である。
【図６】図５に示された打数カウンターを具体的に示す図である。
【図７】図６の打数カウンターの電気的構成を示すブロック図である。
【図８】本考案のまた別の実施例に係る打数カウンターを示す図である。
【符号の説明】
【００２９】
１０    ゴルフ手袋
２０    打数カウンター
３０    上部部材
４０    ノブアセンブリ
４２    ノブ
８０    下部部材
１２０  打数カウンター
１６０  ハウジング
１６２  表示窓
１７０  番号板
１８０  歯車
１９０  第１レバー
１９４  押しボタン
２００  第２レバー
【図１】
0003105103.tif 000003
【図２】
0003105103.tif 000004
【図３】
0003105103.tif 000005
【図４】
0003105103.tif 000006
【図５】
0003105103.tif 000007
【図６】
0003105103.tif 000008
【図７】
0003105103.tif 000009
【図８】
0003105103.tif 000010